(57)【要約】【課題】簡単な構成により、立体目盛りの見栄え及び視認性を向上させることができる目盛りリング付計器を提供する。【解決手段】導光性を有する目盛りリング部材１に凸設された立体目盛り１１ｒの裏面と光源５１との間に、立体目盛り１１ｒに印刷される赤色インク９１と同系色のレッドゾーンシート３を配置している。このため、赤色インク９１による印刷が不完全であっても、光源点灯時において、これを目立たなくすることができる。したがって、簡単な構成でありながら、立体目盛り１１ｒの見栄え及び視認性を向上させることができる。【選択図】図２
2006275677.tif 000002
【特許請求の範囲】
【請求項１】
文字板に取り付けられる、導光性を有する目盛りリング部材と、
前記目盛りリング部材に凸設された、所定色で着色される立体目盛りと、
前記目盛りリング部材の裏面側において該目盛りリング部材から離間して配置された光源と、
を有する目盛りリング付計器であって、
前記立体目盛りの裏面と前記光源との間に配置された、前記着色剤と同系色で透光性を有する透光性シート部材、
を有することを特徴とする目盛りリング付計器。
【請求項２】
請求項１記載の目盛りリング付計器において、
前記立体目盛りは、
側面の不透過色によって輪郭が明確化された、前記所定色で着色される天面部を有する、
ことを特徴とする目盛りリング付計器。
【請求項３】
請求項１又は請求項２記載の目盛りリング付計器において、
前記立体目盛りは、
アナログ式のエンジン回転計のレッドゾーンに対応する目盛りであって、
前記透光性シート部材は、
前記レッドゾーンに対応した形状をしている、
ことを特徴とする目盛りリング付計器。
【請求項４】
請求項１〜請求項３のいずれか一項に記載の目盛りリング付計器において、
前記文字板と前記光源との間に配置されて、前記文字板裏面に前記光源からの光を導くと共に、前記透光性シート部材を前記立体目盛りの裏面の所定位置に固定する固定部を備えた導光板、
を更に有することを特徴とする目盛りリング付計器。
【発明の詳細な説明】
【技術分野】
【０００１】
本発明は、文字板に取り付けられる目盛りリング部材を有する計器に関し、特に、所定色で着色される立体目盛りが凸設された目盛りリング部材を有する計器に関する。
【背景技術】
【０００２】
自動車に搭載される計器において、従来、立体目盛りを有する目盛りリング部材が文字板に取り付けられて構成される計器（以下、目盛りリング付計器ともよぶ）が提案されている。図６は、従来提案されている目盛りリング付計器の要部を示す斜視図である。図７は、図６に示した要部に対応する断面図である。図８は、従来の問題点を説明するための上面図である。
【０００３】
後述する図１に示すような目盛りリング付計器における要部は、従来、図６及び図７に示すようになっている。この目盛りリング付計器は、例えば、自動車用のアナログ式エンジン回転計が想定され、目盛りリング部材１、文字板２、導光板４及び光源５１を搭載する基板５を含んで構成される。目盛りリング部材１には、視認性及び見栄えを向上させるために、天面部１１１及び側面部１１２を有する立体目盛り１１が凸設されている。特に、レッドゾーンに対応する立体目盛り１１ｒの天面部１１１は、鏡面仕上げされた後に赤色系で着色される。
【０００４】
黒色のベース色の文字板２には、数字で表された目盛り２１等が形成されている。文字板２の裏面には、文字板裏面に光源５１からの光を導く導光板４が配置されている。更に、導光板４から離間して基板５が配置されている。基板５は、指針を回転させるためのモータ、その他の電子部品、光源５１等を搭載している。光源５１は、上記目盛りリング部材１、導光板４、指針等に所定光を供給する。
【０００５】
図７に示すように、立体目盛り１１ｒを含むアクリル樹脂製の目盛りリング部材１には、プライマ層である青色クリアー層８１、蒸着層であるシルバー層８２、及びトップコート層であるマットクリア層８３の３層がこの順に形成される。これら３層は、不透過層８を構成し、レッドゾーンに対応する立体目盛り１１ｒの天面部１１１のみ、上記不透過層８がアクリルに到達するまで削りとられたうえでその表面のみが鏡面仕上げされる。そして、鏡面仕上げされたレッドゾーンに対応する立体目盛り１１ｒの天面部１１１に、パッド印刷機９を用いて赤色インク９１のパッド印刷が施される。
【０００６】
なお、この出願の発明に関連する先行技術文献情報としては次のものがある。
【特許文献１】特開平１０−２４０１７９号公報
【発明の開示】
【発明が解決しようとする課題】
【０００７】
ところが、上述のような構成によると、赤色インク９１が天面部１１１にうまく乗らず、図７及び図８に示すように、クリア面ａ（上記鏡面仕上げされた天面の一部）が残ってしまうことが多い。すなわち、いびつな輪郭の赤色層９２が形成されることが多い。このような状態で、夜間等に光源５１が点灯されると、図７に示すように、いびつな輪郭の赤色層９２が強調されてドライバ等に視認されてしまうことになる。そうすると、見栄えが悪くなると同時に視認性も低下する。
【０００８】
よって本発明は、上述した現状に鑑み、簡単な構成により、立体目盛りの見栄え及び視認性を向上させることができる目盛りリング付計器を提供することを課題としている。
【課題を解決するための手段】
【０００９】
上記課題を解決するためになされた請求項１記載の目盛りリング付計器は、文字板に取り付けられる、導光性を有する目盛りリング部材と、前記目盛りリング部材に凸設された、所定色で着色される立体目盛りと、前記目盛りリング部材の裏面側において該目盛りリング部材から離間して配置された光源と、を有する目盛りリング付計器であって、前記立体目盛りの裏面と前記光源との間に配置された、前記着色剤と同系色で透光性を有する透光性シート部材、を有することを特徴とする。
【００１０】
請求項１記載の発明によれば、導光性を有する目盛りリング部材に凸設された立体目盛りの裏面と光源との間に、立体目盛りの着色と同系色で透光性を有する透光性シート部材を配置している。このため、立体目盛りの着色が不完全であっても、光源点灯時において、これを目立たなくすることができる。
【００１１】
上記課題を解決するためになされた請求項２記載の目盛りリング付計器は、請求項１記載の目盛りリング付計器において、前記立体目盛りは、側面の不透過色によって輪郭が明確化された、前記所定色で着色される天面部を有する、ことを特徴とする。
【００１２】
請求項２記載の発明によれば、立体目盛りの天面部は、側面の不透過色によってその輪郭が明確化されている。このため、光源点灯時においては、天面部の着色の不完全さよりも、明確化された輪郭の方が目立つようになる。
【００１３】
上記課題を解決するためになされた請求項３記載の目盛りリング付計器は、請求項１又は請求項２記載の目盛りリング付計器において、前記立体目盛りは、アナログ式のエンジン回転計のレッドゾーンに対応する目盛りであって、前記透光性シート部材は、前記レッドゾーンに対応した形状をしている、ことを特徴とする。
【００１４】
請求項３記載の発明によれば、透光性シート部材はレッドゾーンに対応した形状をしているので部材に無駄がない。
【００１５】
上記課題を解決するためになされた請求項４記載の目盛りリング付計器は、請求項１〜請求項３のいずれか一項に記載の目盛りリング付計器において、前記文字板と前記光源との間に配置されて、前記文字板裏面に前記光源からの光を導くと共に、前記透光性シート部材を前記立体目盛りの裏面の所定位置に固定する固定部を備えた導光板、を更に有することを特徴とする。
【００１６】
請求項４記載の発明によれば、文字板裏面に光源からの光を導く導光板が、透光性シート部材を立体目盛りの裏面の所定位置に固定する固定部を備えている。このため、部品点数を増加させることがない。
【発明の効果】
【００１７】
請求項１記載の発明によれば、導光性を有する目盛りリング部材に凸設された立体目盛りの裏面と光源との間に、立体目盛りの着色と同系色で透光性を有する透光性シート部材を配置している。このため、立体目盛りの着色が不完全であっても、光源点灯時において、これを目立たなくすることができる。したがって、簡単な構成により、立体目盛りの見栄え及び視認性を向上させることができる。
【００１８】
請求項２記載の発明によれば、立体目盛りの天面部は、側面の不透過色によってその輪郭が明確化されている。このため、光源点灯時においては、天面部の着色の不完全さよりも、明確化された輪郭の方が目立つようになる。したがって、立体目盛りの見栄え及び視認性をより向上させることができる。
【００１９】
請求項３記載の発明によれば、見栄え及び視認性のよいレッドゾーンを有するアナログ式のエンジン回転計を得ることができる。また、透光性シート部材はレッドゾーンに対応した形状をしているので部材に無駄がなく、レッドゾーンに対応する立体目盛りを効率的に照明することができる。
【００２０】
請求項４記載の発明によれば、文字板裏面に光源からの光を導く導光板が、透光性シート部材を立体目盛りの裏面の所定位置に固定する固定部を備えている。このため、いたずらに部品点数を増加させることなく、上記効果を有する目盛りリング付計器を得ることができる。
【発明を実施するための最良の形態】
【００２１】
以下、本発明の実施の形態を図面に基づいて説明する。図１は、本発明の一実施形態に係る目盛りリング付計器の一部を示す斜視図である。図２は、本発明の一実施形態に係る目盛りリング付計器の要部を示す斜視図である。
【００２２】
図１及び図２に示すように、実施形態の目盛りリング付計器は、例えば、自動車用のアナログ式エンジン回転計を想定しおり、目盛りリング部材１、文字板２、レッドゾーンシート３、導光板４及び光源５１を搭載する基板５を含んで構成される。回転センサによる計測値に応じてモータ（不図示）が所定量だけ回転し、モータの回転軸に取り付けられた指針２２が文字板２上を回動して、文字板２に形成された数字で表された目盛り２１及び目盛りリング部材１の立体目盛り１１を指示する。文字板２のベース色は黒色であり、数字で表された目盛り２１等が形成されている。指針２２の下面には例えば赤色のホットスタンプ層が形成されており、指針２２はこの色で光輝しているように視認される。
【００２３】
目盛りリング部材１は、導光性を有するスモーク系のアクリル製であって、基本的に円環状をしているが、計器本体に固定するときに利用される取り付け部１３も一体に形成されている。目盛りリング部材１は、目盛り１１及び２１が整合するようにして、文字板２の前面側にやや張り出すように取り付けられる。目盛りリング部材１には、均等間隔で大小複数の立体目盛り１１が凸設されている。立体目盛り１１は、矩形又は船形の平面状の天面部１１１と、天面部１１１に連設された側面部１１２とから構成されている。後述するが、天面部１１１及び側面部１１２は、それぞれ所定色で着色（例えば印刷）される。
【００２４】
天面部１１１は、側面部１１２を含む目盛りリング部材１の他の部位と共に不透過層が形成された後、この不透過層が削りとられたうえで鏡面仕上げされている。または、天面部１１１をマスクして他の部分に不透過層を形成している。但し、レッドゾーンに対応する立体目盛り１１ｒの天面部１１１だけは、この後、赤色系の着色剤が塗布される。この着色剤は、蛍光赤色であることがより好ましい。
【００２５】
このレッドゾーンに対応する立体目盛り１１ｒの裏面側には、請求項の透光性シート部材としてのレッドゾーンシート３が配置されている。レッドゾーンシート３は、立体目盛り１１ｒの着色剤と同系色である例えば赤色系の透光性を有する樹脂製の板である。レッドゾーンシート３は、レッドゾーンのみに対応した形状をしており、詳しくは、リング部材１の幅と略同等の幅Ｗと、レッドゾーンである数字の「６」と「７」の中間部〜数字の「８」に相当する長さを有する。レッドゾーンシート３はレッドゾーンに対応した形状をしているので部材に無駄がなく、レッドゾーンに対応する立体目盛り１１ｒを効率的に照明することができる。
【００２６】
また、レッドゾーンシート３には、位置決め穴３１も設けられている。この位置決め穴３１が導光板４に凸設された位置決めピン４１（請求項の固定部に対応する）に挿通されて、レッドゾーンシート３が立体目盛り１１ｒ裏側の所定位置に固定される。導光板４は、もちろん、文字板２裏面に光源５１からの光を導く本来の役割も果たす。このように、文字板裏面に光源からの光を導く導光板４が、レッドゾーンシート３を所定位置に固定する位置決めピン４１を有するので、いたずらに部品点数を増加させることがない。
【００２７】
このような導光板４から離間して基板５が配置されている。基板５は、周知のように、指針２２を回転させるためのモータ、その他の電子部品、光源５１等を搭載している。光源５１は、例えば、白色光を発するＬＥＤ（発光ダイオード）であり、上記目盛りリング部材１、導光板４、指針２２等に所定光を供給する。
【００２８】
続いて、図３及び図４を用いて、上記構成の補足説明と作用効果について説明する。図３は、図２に示した要部に対応する断面図である。図４は、本発明の実施形態による効果を説明するための上面図である。
【００２９】
図３において、立体目盛り１１ｒを含むアクリルの目盛りリング部材１には、プライマ層である青色クリアー層８１、蒸着層であるシルバー層８２、及びトップコート層であるマットクリア層８３の３層がこの順に形成される。これら３層は、不透過層８を構成する。そして、この後、レッドゾーンに対応する立体目盛り１１ｒの天面部１１１のみ、上記不透過層８がアクリルに到達するまで削りとられたうえでその表面のみが鏡面仕上げされている。これにより、天面部１１１の輪郭が非常に明確になっている。
【００３０】
次に、鏡面仕上げされたレッドゾーンに対応する立体目盛り１１ｒの天面部１１１に、パッド印刷機９を用いて赤色インク９１のパッド印刷が施される。このパッド印刷によると、上述したように、赤色インク９１がうまく乗らず、クリア面ｂ（上記鏡面仕上げされた天面の一部）が残ってしまうことが多い。すなわち、いびつな輪郭の赤色層９２が形成される。
【００３１】
しかし、光源５１が点灯すると、その白色系の出射光は、導光板４、レッドゾーンシート３を介して赤色系に変わって、立体目盛り１１ｒの裏側に到達する。そうすると、上記クリア面ｂが赤色系に変わり、図４に示すように、いびつであった赤色層９２の輪郭が目立たなくなり、その替わりに、赤色の天面部１１１の明確な輪郭が目立つようになる。
【００３２】
なお、図３のｆで示すようにドライバ等の視野範囲をカバーするように、レッドゾーンシート３の幅Ｗを調整することがより好ましい。
【００３３】
図５（Ａ）及び図５（Ｂ）は、上記実施形態の変形例を説明するための断面図である。なお、図５（Ａ）及び図５（Ｂ）は、図３の断面図を概略的に描いたものである。
【００３４】
すなわち、図５（Ａ）に示すように、立体目盛り１１の側面部１１２に不透過層８を構成した場合には、上述したようにレッドゾーンシート３によって、赤色の天面部１１１の輪郭を明確化することができるが、図５（Ｂ）に示すように、立体目盛り１１の天面部１１１に加えて側面部１１２にも不透過層８が構成されない場合にも、レッドゾーンシート３によって、側面部１１２から光源色がそのまま漏れてしまうのを防止することができる。
【００３５】
以上説明したように、本発明の実施形態によれば、導光性を有する目盛りリング部材１に凸設された立体目盛り１１ｒの裏面と光源５１との間に、立体目盛り１１ｒに印刷される赤色インク９１と同系色のレッドゾーンシート３を配置している。このため、赤色インク９１による印刷が不完全であっても、光源点灯時において、これを目立たなくすることができる。したがって、簡単な構成でありながら、立体目盛り１１ｒの見栄え及び視認性を向上させることができる。
【００３６】
なお、本発明の計器は、自動車用のエンジン回転計に限定されず、同様の構成の他の計器も含むものである。
【図面の簡単な説明】
【００３７】
【図１】本発明の一実施形態に係る目盛りリング付計器の一部を示す斜視図である。
【図２】本発明の一実施形態に係る目盛りリング付計器の要部を示す斜視図である。
【図３】図２に示した要部に対応する断面図である。
【図４】本発明の実施形態による効果を説明するための上面図である。
【図５】図５（Ａ）及び図５（Ｂ）は、上記実施形態の変形例を説明するための断面図である。
【図６】従来提案されている目盛りリング付計器の要部を示す斜視図である。
【図７】図６に示した要部に対応する断面図である。
【図８】従来の問題点を説明するための上面図である。
【符号の説明】
【００３８】
１  目盛りリング部材
２  文字板
３  レッドゾーンシート（透光性シート部材）
４  導光板
５  基板
８  不透過層
４１  位置決めピン（固定部）
５１  光源
９２  赤色層
【図１】
2006275677.tif 000003
【図２】
2006275677.tif 000004
【図３】
2006275677.tif 000005
【図４】
2006275677.tif 000006
【図５】
2006275677.tif 000007
【図６】
2006275677.tif 000008
【図７】
2006275677.tif 000009
【図８】
2006275677.tif 000010